(57)【要約】【課題】高齢者などの足が不自由な人でも、ウォーキングに負担が少なく、また靴底から釘などが貫通しない履物用中敷、及びこれを使用した脚矯正用履物用中敷を提供する。【解決手段】重ね合わされた少なくとも２枚のシートからなり、上シートと下シートの爪先側端部と踵側端部を実質的に当接し、長手方向において、上シートと下シートの該上爪先側端部と該踵側端部間に湾曲した空張部を形成し、該空張部の最大部を中央より踵側に構成し、該空張部の最大部で踵の重心を受けるようにした。また、上下シートで構成された空張部内に弾性体を挿入して、脚の矯正に適した構成とした。
2008156164.tif 000002
【特許請求の範囲】
【請求項１】
重ね合わされた少なくとも２枚のシートからなり、上シートと下シートの爪先側端部と踵側端部を実質的に当接し、長手方向において、上シートと下シートの該上爪先側端部と該踵側端部間に湾曲した空張部を形成し、該空張部の最大部を中央より踵側に構成し、該空張部の最大部で踵の重心を受けるようにした履物用中敷。
【請求項２】
上下シートの少なくとも一方が、炭素繊維シートとガラス繊維シートを重ねた積層シートからなる請求項１記載の履物用中敷。
【請求項３】
２枚のシートの爪先側端部が固定されている請求項１又は２に記載の履物用中敷。
【請求項４】
上下シートで構成された空張部内に弾性体を挿入してなる請求項１〜３のいずれかに記載の履物用中敷。
【請求項５】
該弾性体が、該空張部の長手方向に沿って、一対の靴の各外側に配置されているＯ脚の矯正に適した請求項４記載の履物用中敷。
【請求項６】
該弾性体が、該空張部の長手方向に沿って、一対の靴の各内側に配置されているＸ脚の矯正に適した請求項４記載の履物用中敷。
【発明の詳細な説明】
【技術分野】
【０００１】
本発明は、履物用中敷に関し、とくに高齢者や足の不自由な人に好適な履物用の中敷に関するものである。
【背景技術】
【０００２】
従来より、靴やスリッパ等の履物に、踵の下部の部分にバネを利用して体重を持ち上げることができる、バネ付き履物やバネ付き中敷が提案されている。【０００３】
例えば、履物の踵に当たる部分に収納庫のある固定板を設けて、コイルバネを収納し、上部にコイルバネ固定具と緩衝材のある板バネとを一端で接続して、足の踵に掛かる体重を押上げるバネ付き履物がある（特許文献１参照。）。【０００４】
また、履物を履いた時に、爪先立ちの状態で、爪先から踵の部分が接触するように折り曲げた板バネを利用した健康履き物も提案されている（特許文献２参照。）。【０００５】
【特許文献１】特開平１０−２６２７０６号公報
【特許文献２】特開平１０−２５７９０４号公報
【発明の開示】
【発明が解決しようとする課題】
【０００６】
しかしながら、上記特許文献１の技術は、履物の踵部分にコイルバネを設けて足の踵を上方向に押上げる構成となっており、老齢者等の歩行を補助的に助けるものであるが、構造が複雑であり、また重量が嵩むという問題があった。また、上記特許文献２の技術は、予め足の爪先から土踏まず又は踵の部分に接触するように板バネを取り付け、上下運動を可能とした健康履き物であり、通常の履き物として使用するには難点があった。しかも、これらの技術では何れも装着時に足が前方に滑り込み、歩けなくなるという大きな欠点があると共に、脚の矯正等には何らの考慮もなされていなかった。【０００７】
そこで本発明者は、ＦＲＰを用いてその中ほどから上方に向かって湾曲させて成形した「靴の中敷」（実願２００５−３３９１号）を提案し、長時間使用してもの疲れることない軽い中敷を提案している。本発明は先に出願した上記発明の「靴の中敷」をさらに発展させたもので、カーボン繊維とガラス繊維とを複数積層して成形したシート材、或いは軽金属材を二枚夫々湾曲させて一体に構成し、軽量で強度の高い履物用中敷を提供するものである。さらに、この履物用中敷に弾性体を挿入して構成することによって、脚の矯正に優れる脚矯正用履物用中敷を提供するのもである。
【課題を解決するための手段】
【０００８】
このため本発明の履物用中敷は、重ね合わされた少なくとも２枚のシートからなり、上シートと下シートの爪先側端部と踵側端部を実質的に当接し、長手方向において、上シートと下シートの該上爪先側端部と該踵側端部間に湾曲した空張部を形成し、該空張部の最大部を中央より踵側に構成し、該空張部の最大部で踵の重心を受けるようにしたことを第一の特徴とする。【０００９】
また、上下シートの少なくとも一方が、炭素繊維シートとガラス繊維シートを交互に重ねた積層シートからなることを第二の特徴とする。【００１０】
そして、２枚のシートの爪先側端部が固定されていることを第三の特徴とする。【００１１】
しかも、上下シートで構成された空張部内に弾性体を挿入してなることを第四の特徴とする。【００１２】
さらに、該弾性体が、該空張部の長手方向に沿って、一対の靴の各外側に配置されているＯ脚の矯正に適したことを第五の特徴とする。【００１３】
さらに、該弾性体が、該空張部の長手方向に沿って、一対の靴の各外側に配置されているＯ脚の矯正に適したことを第六の特徴とする。
尚、本発明に使用されるシート材は二枚に限らず、一枚のシートを曲げ加工したものであってもかまわない。
【発明の効果】
【００１４】
本発明に係る履物用中敷によれば、重ね合わされた少なくとも２枚のシートからなり、上シートと下シートの爪先側端部と踵側端部を実質的に当接し、長手方向において、上シートと下シートの該上爪先側端部と該踵側端部間に湾曲した空張部を形成し、該空張部の最大部を中央より踵側に構成し、該空張部の最大部で踵の重心を受けるようしているため、上下２枚のシート材によるクッションによって、足の踵に掛かるショックを和らげると共に、この２枚のシート材が足の踵の重心で押圧される際に、靴の前方向に移動することがないという優れた効果を有する。【００１５】
また、上下シートの少なくとも一方が、炭素繊維シートとガラス繊維シートを相互に重ねた積層シートから構成されており、軽量であると同時に強度が高いという効果を有する。【００１６】
しかも、上下シートで構成された空張部内に弾性体を挿入されており、利用者の脚の矯正（例えばＯ脚またはＸ脚の矯正）の際に、適度のクッション性を保って利用者の足裏部を傾斜させながら矯正させることが可能であり、利用者の股関節などに負担をかけずに脚の矯正ができるという優れた効果を有する。
【図面の簡単な説明】
【００１７】
【図１】本発明の一実施例を示す履物用中敷のシート材の構造説明図である。
【図２】本発明の履物用中敷のシート材の形状を示す説明図である。
【図３】本発明の履物用中敷の使用説明図である。
【図４】本発明の履物用中敷の他の実施例を示す説明図である。
【図５】本発明のＸ脚矯正に使用する履物用中敷を示す説明図である。
【図６】本発明のＯ脚矯正に使用する履物用中敷を示す説明図である。
【符号の説明】
【００１８】
１          シート材
２、４、６  ガラス繊維シート
３、５      カーボン繊維シート
７          前部
８          後部
９          湾曲部
１０          履物用中敷
１１          靴
１２          内底
１３          中敷カバー
１４          空気孔部
１５          第一のシート
１６          第二のシート
１７          空隙
１８          弾性体
【発明を実施するための最良の形態】
【００１９】
以下、本発明を図面に基づいて説明する。図１は本発明の一実施例を示す履物用中敷のシート材の構造説明図、図２は本発明の履物用中敷のシート材の形状を示す説明図、図３は本発明の履物用中敷の使用説明図、図４は本発明の履物用中敷の他の実施例を示す説明図、図５はＸ脚矯正に使用する履物用中敷を示す説明図、図６はＯ脚矯正に使用する履物用中敷を示す説明図である。
【実施例１】
【００２０】
図１に示すように、本発明に係る履物用中敷のシート材１は、ガラス繊維シート２、４、６と、カーボン繊維シート３、５を交互に積層し、図示しないポリエステル樹脂を含浸して真空圧縮によって１枚のシートとされている。ここで、カーボン繊維シート３、５はそれぞれ一軸延伸又は二軸延伸されており、ガラス繊維シート２、４、６と交互に積層されて成形する際に変形することがなく、また長手方向で湾曲させた後の曲げ強度に優れる。【００２１】
図２は履物用中敷のシート材１の形状を示しており、図２（Ａ）は平面図、図２（Ｂ）は側面図である。図において、前部７を履物内の前方に挿入し、後部８を履物内の踵方向とし、履物の形状に合わせて半円形に成形されている。そしてシート材１は真空圧縮成形される際に金型によって、湾曲部９が形成され、この湾曲部９の最上部と足の踵中心位置とが当接するように成形されている。【００２２】
上記構成の２枚のシート材１を、湾曲部９がそれぞれ外向きとなるように前部７を揃えて対向して、接着剤（図示せず）によって前部７が接合され後述する本発明の履物用中敷１０が構成される。【００２３】
図３は本発明の履物用中敷１０の使用例を示す説明図であり、靴１１の内底１２上に履物用中敷１０が挿入され、さらに中敷カバー１３が載置されている。また靴１１の後部には空気孔部１４が設けられている。履物用中敷１０は、第一のシート材２１と第二のシート材２２とを前部７において接着剤によって接合され、後部８はそれぞれ離間して構成されており、中敷カバー１３側から足で踏むと第一のシート材２１及び第二のシート材２２がそれぞれ変形して、後部８が当接した状態で板バネ作用によって、足への衝撃を和らげる。そして、第一のシート材２１及び第二のシート材２２の変形によって靴１１内の空気が圧縮されて空気孔部１４から排出される。尚、履物用中敷１０はガラス繊維シートとカーボン繊維シートの積層板であり、軽量であると同時に強度が高く、ガラスや釘などの金属が靴１１の底から貫通しても足裏へ影響することがない。しかも、湾曲部９の最上部が足裏の踵中心位置に当接するように予め形成されているため、歩くごとに適度なクッションを受けることができると同時に、シート材２１、２２が夫々均一に変形するため、靴１１内において移動することがない。【００２４】
上記の構成からなる本発明の履物用中敷１０は、カーボン繊維製シートとガラス繊維製シートを交互に複数積層して構成したシート材１から構成されており、軽量であると同時に強度が高く、靴に装着して歩くことによって足裏から適度な刺激を受けると同時に、シート材１同士の板バネ作用によって足に負担をかけることがないため、高齢者の歩行を補助する。しかも強度が高いためガラスや釘などの金属によって足を傷つける虞もない。尚、上記実施例においては、カーボン繊維製シートとガラス繊維製シートをそれぞれ２枚と３枚にて構成したが、本発明はこれに限定されない。また接着剤によって前部７を接合しているが、真空成形の際に一体に成形することも可能である。尚、本実施例においては、カーボン繊維製シートとガラス繊維製シートを交互に複数積層して構成した２枚のシート材によって説明したが、軽量金属基材(例えばチタン、アルミなどの金属板）を使用したものであってもよく、また１枚のシート材を折り曲げて形成されたものであってもかまわない。
【実施例２】
【００２５】
次に、本発明の履物用中敷の他の実施例を図４、図５及び図６に従って説明する。尚、本実施例において履物用中敷のシート材は上記の実施例と同様であり、詳細は省略する。【００２６】
図４は、本発明の履物用中敷１０の他の実施例を示しており、図４（ａ）は平面図、図４（ｂ）は側面図、図４（ｃ）は図４（ａ）のＡ−Ａ線断面図である。図に示すように、履物用中敷１０は側面視線対称の目形状をしており、シート材１５、１６は前部７において接着剤によって接着されており、また後部８は当接自在とされている。そして、シート材１５、１６によって形成される空隙１７にはウレタン樹脂或いはシリコーン樹脂からなる弾性体１８が挿入され接着剤によってシート材１６に接着されている。この弾性体１８は履物用中敷１０の長手方向略中心線から一方側側面方向に至り、且つシート材１５、１６から形成される空隙１７の半分の高さを有する形状をしており、シート材１５の湾曲部９の最上部を足裏の略中心で押圧することによって、シート材１５、１６は後部８が当接した状態でそれぞれ変形して、シート材１５と弾性体１８が当接し、この弾性体１８の弾性変形とシート材１５の側面方向（図４（ｃ）の左方向）への緩やかな変形によって足裏もシート材１５の側面方向へ傾き、脚に適度の矯正を行なうことができる。尚、本発明の履物用中敷に使用する弾性体は本実施例に限定されず、利用者の症状にあわせて最適な形状及び材質が選択される。【００２７】
図５及び図６は、上記の履物用中敷１０を脚矯正用として使用する例を示しており、夫々Ｘ脚補正用とＯ脚補正用に使用される。Ｘ脚は  膝の内側は付くが、左右の膝が軽く当るように立つと、脚がそろわない状態であり、また、Ｏ脚は、起立して内側のくるぶしを密着させたとき、左右のひざの内側が接しない状態であり、これらの症状によって足裏を傾斜させて矯正を行なう必要がある。図５（ａ）は右足用を示し、図５（ｂ）は左足用を示しており、図に示すように、Ｘ脚矯正に使用する本発明の履物用中敷１０は長手方向の略中央線から夫々両足の内側方向に弾性体２４が挿入されて構成されている。【００２８】
この構成からなる履物用中敷１０をＸ脚の矯正に使用した利用者は、右足用と左足用の履物用中敷１０を夫々履物に挿入し、後部８が履物内の踵部に当接する位置に配置して、上述したように足裏中心がシート材の湾曲部の最上部を押圧すると、左右の足裏が夫々外側方向に傾斜して脚を矯正させることができる。この際、利用者の足裏は履物用中敷１０のシート材の緩やかな変形と、弾性体の弾性変形によって急激に傾くことがなく、この傾斜によって利用者の股関節に負担となることがない。しかも、足裏中心がシート材の湾曲部の最上部を常に押圧するため、履物用中敷１０が履物内を前方向に移動する虞もない。【００２９】
図６は、Ｏ脚補正用に使用される履物用中敷１０を示しており、図６（ａ）は右足用を示し、図６（ｂ）は左足用をしている。図において、弾性体１８の配置は上記のＸ脚用の構成と左右反対となるが、脚を矯正させる作用は同等であり、左右の足裏が夫々内側方向に傾斜して脚を矯正させることができる。【００３０】
以上本発明の履物用中敷によれば、靴などの履物内に挿入して使用することによって足の踵中心位置が常に押上げられ、シート材によるクッションによって、足の踵に掛かるショックを和らげることができる。しかもシート材はその略中央部を常に足の踵中心で押圧されるため、靴の前方向に移動することがない。そして、カーボン繊維製シートとガラス繊維製シートを交互に複数積層して構成したシート材で構成されているため、軽量で且つ強度が高いため、高齢者であっても安全に使用することができる。さらに、二枚のシート材で形成された空隙部の長手方向略中央から一側面方向に、所定の厚み、且つ所定の形状の弾性体を挿入して構成されているため、利用者の脚の矯正（例えばＯ脚またはＸ脚の矯正）の際に、適度のクッション性を保って利用者の足裏部を傾斜させながら矯正させることができる。
【産業上の利用可能性】
【００３１】
以上本発明の履物用中敷によれば、高齢者や足の不自由な人に好適な履物用の中敷として好適に使用できる。さらに、Ｘ脚やＯ脚等の脚の矯正用としても利用できる。
【図１】
2008156164.tif 000003
【図２】
2008156164.tif 000004
【図３】
2008156164.tif 000005
【図４】
2008156164.tif 000006
【図５】
2008156164.tif 000007
【図６】
2008156164.tif 000008
【国際調査報告】
2008156164.tif 000009
2008156164.tif 000010
2008156164.tif 000011
2008156164.tif 000012